(57)【要約】      （修正有）【課題】美観と防塵性、耐衝撃性を同時に備え、且つ、容易に電子製品に装着することができる、電子製品用防塵カバーの提供。【解決手段】本体Ａが前面体と側面体Ａ１を連結して成り、且つ、該側面体と前面体間に収納空間が形成され、該前面体の別の一面に内面体Ｃを設け、該内面体の一端に上内面体Ｃ１を設け、該上内面体の横に横内面体Ｃ２を設け、さらに該上内面体と横内面体の表面の対応する位置に付着部Ｂ１、Ｂ２をそれぞれ設け、該上内面体と横内面体の付着部を電子製品の側面と上面にそれぞれ付着させ、該内面体が電子製品の表面に張り付き、該前面体を持ち上げると電子製品の操作コントロール面が露出され、該前面体を置くと電子製品の操作コントロール面が覆われ、防塵と耐衝撃効果が得られるしくみである。【選択図】図２
0003109744.tif 000002
【実用新案登録請求の範囲】
【請求項１】
本体が前面体と側面体を連結して成り、且つ、該側面体と前面体間に収納空間が形成され、該前面体の別の一面に内面体を設け、該内面体の一端に上内面体を設け、該上内面体の横に横内面体を設け、さらに該上内面体と横内面体の表面の対応する位置に付着部をそれぞれ設け、該上内面体と横内面体の付着部を電子製品の側面と上面にそれぞれ付着させ、該内面体が電子製品の表面に張り付き、該前面体を持ち上げると電子製品の操作コントロール面が露出され、該前面体を置くと電子製品の操作コントロール面が覆われる電子製品用防塵装飾カバー。
【請求項２】
前記のうち、該本体が動物、ロボット、生物、無生物の形体、現実世界に存在する形体、科学空想世界で想像された形体を呈する請求項１に記載の電子製品用防塵装飾カバー。
【請求項３】
前記のうち、該本体と側面体が布材料物質体、金属物質体、石油化学物質のプラスチック、ゴム物質体及び物品の製作に用いられる関連物質からなる請求項１または２に記載の電子製品用防塵装飾カバー。
【請求項４】
前記のうち、該付着部が磁石、面ファスナー、ひも、弾性ゴム、接着シール及び電子製品の表面に付着させて設置し固定することができるものである請求項１または２に記載の電子製品用防塵装飾カバー。
【考案の詳細な説明】
【技術分野】
【０００１】
本考案は電子製品の防塵装飾カバーに関し、特に、その主体が側面体と前面体を連結して成り、該側面体と前面体間に収納空間を備え、電子製品の操作コントロール面に対し防塵と耐衝撃機能を形成する、電子製品用防塵装飾カバーに関する。
【背景技術】
【０００２】
現在、コンピュータ設備の関連製品及び通信、情報、視聴製品等、消費型電子電器家電設備が市場に溢れているが、その形体はほとんどが正方形や長方形等の簡易的な形体の多辺形体を呈し、その造形上いかなる特色や美感も備えておらず、単調な製品が多い。
【０００３】
また、その本体表面はほとんどが単一の平面を呈しており、いかなる装飾等の設計もなく、また、使用する際に触れる表面部分は外力の衝撃を受けやすく、傷や凹み等の問題が多く発生する。さらに、長期間に渡って使用すると、塵埃や異物等の小さなものが本体内に入り込み、電子製品の寿命が短縮され、時には破損につながることもある。
【考案の開示】
【考案が解決しようとする課題】
【０００４】
このため、本考案は、上述の欠点を改善し、美観と防塵性、耐衝撃性を同時に備え、且つ、容易に電子製品に装着することができる、電子製品用防塵カバーの提供を目的とするものである。
【課題を解決するための手段】
【０００５】
本考案の電子製品用防塵装飾カバーは、図１及び図２に示すように、その本体Aは側面体A１と前面体A２を連結して成り、且つ、該側面体A１と前面体A２間に収納空間を備え、該前面体A２の別の一面に内面体Cを設け、該内面体Cの一端に上内面体C１を設け、さらに該上内面体C１の横に横内面体C２を設け、該上内面体C１と横内面体C２の表面上の対応する位置に付着部B１、B２をそれぞれ設ける。
【０００６】
側面体A１と前面体A２の収納空間（図４及び図５参照）に、電子製品Dを収納し、このとき、上内面体C１と横内面体C２上の付着部B１、B２を電子製品Dの側面と上面にそれぞれ接着させ、且つ、内面体Cを電子製品Dの表面に貼り付かせる。このとき、前面体A２を持ち上げると電子製品Dの操作コントロール面が露出され、前面体A２を置くと、電子製品Dの操作コントロール面が覆われて、防塵効果を得ることができる。
【０００７】
また、本体Aと側面体A1は布や発泡スチロール材、金属材、プラスチック材、ゴム材及び物品製作に応用される各種関連材料とし、且つ、電子製品Dに被せた後、防振及び耐衝撃効果を形成することができる。  
【０００８】
前記のうち、付着部B１、B２は磁石や面ファスナー、ひも、弾性ゴム、接着シール及び電子製品D表面に付着させて固定し設置できるものとする。
【０００９】
前記のうち、該本体Aと側面体A１は、動物やロボット、及びその他生物、無生物、現実世界、科学空想世界等に関連する形体とし、視覚的美感と室内のインテリアに合った美観効果を得ることができる。
【００１０】
前記のうち、該電子製品Dは、ブラウン管コンピュータモニタ、液晶コンピュータモニタ、ブラウン管テレビ、液晶テレビ、プラズマテレビ、コンピュータ本体、映像音声再生装置、通信・情報関連設備及び電子電機情報関連の家庭電器及び情報製品とする。      
【考案の効果】
【００１１】
本考案の進歩性と実用性を示すため、以下で従来の状態と本考案を比較分析する。
「従来の欠点」
１．電子製品の外観は単調で変化に乏しい。
２．電子製品の表面には外部装飾空間がない。
３．塵埃や異物が電子製品の内部に進入しやすく、設備の寿命短縮と破損が起こりやすい。
４．電子製品の表面が外力による衝撃を受けやすく、変形は破損が起こりやすい。
「本考案の利点」
１．視覚的美感を備え、室内インテリアに合わせることができる。
２．防塵性と電子製品内部への異物の進入防止効果がある。
３．衝撃を吸収し、外力に対する耐衝撃性があり、電子製品の破損を防ぐ。
４．電子製品を別途改造しなくとも本考案を設置することができ、電子製品の外観を損ねることがない。
５．進歩性、実用性、美観と装飾性を備えている。
６．産業的競争力を向上する。        
【実施例１】
【００１２】
本考案の電子製品用防塵装飾カバーは、図３、図４及び図５に示すように、本体Aの側面体A１と前面体A２が形成する収納空間内に電子製品Dを設置し、そのうち、該前面体A２の内面体Cを電子製品Dの操作コントロール面の表面に平らに貼り付け、側面体A１の横内面体C２と上内面体C１を、相対する位置に設置された付着部B１、B２により、電子製品Dの側面と上面の表面上にそれぞれ付着させる。
【００１３】
使用者が電子製品Dの操作コントロール面を操作するときは、前面体A２を持ち上げるだけで操作を行なうことができる。例えば、本実施例で示す電子製品Dはコンピュータ本体であるが、前面体A２を持ち上げた後、光ディスクやフロッピーディスクの出し入れ等の動作を行なうことができる。
【００１４】
また、この実施例において、本体A、側面体A１、前面体A２の材質は、やわらかく弾性を備えたフェルト布であり、外力の衝撃を受けてもその衝撃を吸収する機能があり、且つ、その側面体A１と前面体A２が電子製品Dの表面を覆っているため、防塵機能も得ることができ、微細な異物が電子製品D内部に進入するのを防ぎ、電子製品の仕様寿命を延長することができる。
【００１５】
さらに、本体Aのデザインは、かわいらしい動物とすることができ、本実施例においては熊の形体を呈し、美観とかわいらしい視覚的美感を得ることができる。
【００１６】
図６に示すように、該側面体A１の横内面体C２上に長さが調節できるひもEを設置し、ひもEの長さ調節機能により、本体Aの側面体A１と前面体A２が形成する収納空間に電子製品を収納した後、本体Aを電子製品上に固定することができる。
【００１７】
図６−１に示すように、該側面体A１の横内面体C２上に伸縮性のある弾性ゴムFを設置し、該弾性ゴムFの伸縮弾性により、本体Aの側面体A１と前面体A２が形成する収納空間に電子製品を収納した後、本体Aを電子製品上に固定することができる。
【００１８】
図６−２に示すように、該側面体A１の横内面体C２と本体A内の内面体C上に接着シールGを設置し、該接着シールGの粘着性により、本体Aの側面体A１と前面体A２が形成する収納空間に電子製品を収納した後、本体Aを電子製品上に固定することができる。
【実施例２】
【００１９】
該側面体A１は基本的には本体Aの側面に設置されるが、図７に示すように、本考案の本体Aを人型としたとき（本実施例は熊の形体として示す）、該側面体A１は本体Aの背面部を形成してもよい。また、図３に示すように、図中の側面体A１は本体Aの手の部位を形成して側面に設置されており、本考案における側面体A１の部位は、本体Aの側面または背面の任意の部品として設置でき、その内部に収納空間を形成する。その他物品の形体を呈するとき、例えば図８に示す亀の形体とする場合は、側面体H１は亀の足の部分として設置することができる。
【実施例３】
【００２０】
図８及び図８−１に示すように、該本体A、I及び側面体H１、I１、前面体H２、I２のデザインは、さらにその他のかわいらしい動物としてもよく、例えば、本体Hはかわいらしい亀をデザインしたものであり、また本体Iは無生物のアイスクリームをデザインしたものであるが、それぞれ対応する側面体H１、I１と前面体H２、I２を設けることで、本考案の目的とする機能を得ることができる。
【図面の簡単な説明】
【００２１】
【図１】本考案の正面図である。
【図２】本考案の背面図である。
【図３】本考案の形体に熊を用いた実施例を示す立体斜視図である。
【図４】本考案の実施例を示す側面図及び部分透視拡大図である。
【図５】本考案の動作を示す立体斜視図である。
【図６】本考案にひもを用いた実施例を示す背面図である。
【図６−１】本考案に弾性ゴムを用いた実施例を示す背面図である。
【図６−２】本考案に接着シールを用いた実施例を示す背面図である。
【図７】本考案の図３とは別の実施例を示す側面図である。
【図８】本考案の形体に亀を用いた実施例を示す側面図である。
【図８−１】本考案の形体にアイスクリームを用いた実施例を示す側面図である。
【符号の説明】
【００２２】
A        本体
A１      側面体
A２      前面体
B１、B２ 付着部    
C        内面体
C１      上内面体
C２      横内面体
D        電子製品
E        ひも
F        弾性ゴム
G        接着シール
H、I    本体
H１、I１ 側面体
H２、I２      前面体
【図１】
0003109744.tif 000003
【図２】
0003109744.tif 000004
【図３】
0003109744.tif 000005
【図４】
0003109744.tif 000006
【図５】
0003109744.tif 000007
【図６】
0003109744.tif 000008
【図６−１】
0003109744.tif 000009
【図６−２】
0003109744.tif 000010
【図７】
0003109744.tif 000011
【図８】
0003109744.tif 000012
【図８−１】
0003109744.tif 000013